(57)【要約】【課題】表示パネルの駆動方法およびそれを行うための表示装置に関し、より詳細には表示品質を向上させることができる表示パネルの駆動方法およびそれを行うための表示装置を提供する。【解決手段】表示パネルの駆動方法は入力画像データの階調に対応してハイガンマを有するハイデータ電圧を生成する段階、前記入力画像データの前記階調に対応して前記ハイガンマより小さいローガンマを有するローデータ電圧を生成する段階および表示パネルのピクセルに前記ハイデータ電圧および前記ローデータ電圧を出力する段階を含む。少なくとも一つのフレームの間に前記表示パネルの前記ピクセルに前記ローデータ電圧のみを出力する。それに係り、側面視認性を改善して表示不良を防止して表示品質を向上させることができる。【選択図】図７
2015055871.tif 000002
【特許請求の範囲】
【請求項１】
入力画像データの階調に対応してハイガンマを有するハイデータ電圧を生成する段階と、
前記入力画像データの前記階調に対応して前記ハイガンマより小さいローガンマを有するローデータ電圧を生成する段階と、
表示パネルのピクセルに前記ハイデータ電圧および前記ローデータ電圧を出力する段階を含み、
少なくとも一つのフレームの間に前記表示パネルの前記ピクセルに前記ローデータ電圧のみを出力することを特徴とする表示パネルの駆動方法。
【請求項２】
第１フレームの間に前記表示パネルの第１データピクセルグループに前記ハイデータ電圧を出力し、前記表示パネルの第２データピクセルグループに前記ローデータ電圧を出力し、
第２フレームの間に前記表示パネルの前記第１データピクセルグループおよび前記第２データピクセルグループに前記ローデータ電圧を出力し、
第３フレームの間に前記表示パネルの前記第１データピクセルグループに前記ローデータ電圧を出力し、前記表示パネルの前記第２データピクセルグループに前記ハイデータ電圧を出力し、
第４フレームの間に前記表示パネルの前記第１データピクセルグループおよび前記第２データピクセルグループに前記ローデータ電圧を出力することを特徴とする請求項１に記載の表示パネルの駆動方法。
【請求項３】
前記表示パネルの前記ピクセルに４つのフレームの中の一つのフレームの間に前記ハイデータ電圧を出力し、３つのフレームの間に前記ローデータ電圧を出力することを特徴とする請求項１に記載の表示パネルの駆動方法。
【請求項４】
前記表示パネルは
第１ピクセルと、
前記第１ピクセルと第１方向で隣接した第２ピクセルと、
前記第１ピクセルと第２方向で隣接した第３ピクセルと、
前記第２ピクセルと前記第２方向で隣接した第４ピクセルと、
前記第１ピクセルに接続される第１データラインと、
前記第２ピクセルおよび前記第３ピクセルに接続される第２データラインと、
前記第４ピクセルに接続される第３データラインと
を含むことを特徴とする請求項３に記載の表示パネルの駆動方法。
【請求項５】
前記第２ピクセルに印加されるデータ電圧は前記第１ピクセルに印加されるデータ電圧と反対の極性を有し、
前記第３ピクセルに印加されるデータ電圧は前記第１ピクセルに印加されるデータ電圧と反対の極性を有し、
前記第４ピクセルに印加されるデータ電圧は前記第１ピクセルに印加されるデータ電圧と同じ極性を有することを特徴とする請求項４に記載の表示パネルの駆動方法。
【請求項６】
前記第１ピクセルには第１、第２、第４、第６、第７および第８フレームの間に前記ローデータ電圧が印加され、第３および第５フレームの間に前記ハイデータ電圧が印加されることを特徴とする請求項４に記載の表示パネルの駆動方法。
【請求項７】
前記第２ピクセルには前記第２、第３、第４、第５、第６および第８フレームの間に前記ローデータ電圧が印加され、第１および第７フレームの間に前記ハイデータ電圧が印加されることを特徴とする請求項６に記載の表示パネルの駆動方法。
【請求項８】
前記第１ピクセルのデータ電圧および前記第２ピクセルの前記データ電圧は２フレーム単位で極性が反転することを特徴とする請求項７に記載の表示パネルの駆動方法。
【請求項９】
前記表示パネルは
第１ピクセルと、
前記第１ピクセルと第１方向で隣接した第２ピクセルと、
前記第１ピクセルと第２方向で隣接した第３ピクセルと、
前記第２ピクセルと前記第２方向で隣接した第４ピクセルと、
前記第１ピクセルおよび前記第３ピクセルに接続される第１データラインと、
前記第２ピクセルおよび前記第４ピクセルに接続される第２データラインを含むことを特徴とする請求項３に記載の表示パネルの駆動方法。
【請求項１０】
前記第２ピクセルに印加されるデータ電圧は前記第１ピクセルに印加されるデータ電圧と反対の極性を有し、
前記第３ピクセルに印加されるデータ電圧は前記第１ピクセルに印加されるデータ電圧と同じ極性を有し、
前記第４ピクセルに印加されるデータ電圧は前記第１ピクセルに印加されるデータ電圧と反対の極性を有することを特徴とする請求項９に記載の表示パネルの駆動方法。
【発明の詳細な説明】
【技術分野】
【０００１】
本発明は表示パネルの駆動方法およびそれを行うための表示装置に関し、より詳細には表示品質を向上させることができる表示パネルの駆動方法およびそれを行うための表示装置に関する。
【背景技術】
【０００２】
一般的に、液晶表示装置は画素電極を含む第１基板、共通電極を含む第２基板および前記基板の間に介在する液晶層を含む。前記二つの電極に電圧を印加して液晶層に電界を生成し、その電界の強さを調節して液晶層を通過する光の透過率を調節することによって望む画像を得る。
このような液晶表示装置は薄型で作ることができる長所を有する反面、視野角が狭い短所がある。広視野角の実現のためにＰＶＡ（Ｐａｔｔｅｒｎｅｄ  Ｖｅｒｔｉｃａｌ  Ａｌｉｇｎｍｅｎｔ）モード、Ｓ−ＰＶＡ（Ｓｕｐｅｒ−Ｐａｔｔｅｒｎｅｄ  Ｖｅｒｔｉｃａｌ Ａｌｉｇｎｍｅｎｔ）モード液晶表示パネルなどが開発されている。
【０００３】
ＰＶＡモードおよびＳ−ＰＶＡモード液晶表示パネルは、単位画素内にそれぞれ異なる階調を有する二つの副画素を含む。異なる電圧がそれぞれの副画素に印加されるようにして、側面階調飛び（ｓｉｄｅ  ｇｒａｙｓｃａｌｅ  ｂａｎｄ）または階調反転（ｇｒａｙｓｃａｌｅ  ｉｎｖｅｒｓｉｏｎ）を改善して側面視認性を向上させることができる。
【０００４】
しかしながら、このような方法は前記二つの副画素の透過率を正確に合わせにくく、画素分割によって開口率が低下するなどの問題点がある。
【０００５】
そこで、一つの単位画素を複数の副画素で分ける代わりに、一つの画素に対してフレーム別に異なる電圧を印加する時分割駆動技術が開発されている。
【０００６】
しかし、時分割駆動技術でハイガンマ区間とローガンマ区間を同一に分割する場合、液晶のライジング応答とフォーリング応答の速度差のため、側面視認性が十分に改善されないという問題点がある。
【０００７】
また、画像内で物体が一方向に移動する時、異なる視点に示されるピクセル間の輝度差によって格子状のアーティファクトが視認される、ムービングチェッカーアーティファクト（ｍｏｖｉｎｇ  ｃｈｅｃｋｅｒ  ａｒｔｉｆａｃｔ）が発生するという問題点がある。 
【先行技術文献】
【特許文献】
【０００８】
【特許文献１】米国特許出願公開第２００６−０２３８４７２号明細書
【特許文献１】米国特許第８１７４５１５号
【特許文献１】米国特許第８３３９４２５号
【発明の概要】
【発明が解決しようとする課題】
【０００９】
それに対し、本発明の技術的課題はこのような点で着眼したものであり、本発明の目的は、側面視認性を改善してムービングチェッカーアーティファクトを防止して表示品質を向上させる表示パネルの駆動方法を提供することである。
【００１０】
本発明の他の目的は、前記表示パネルの駆動方法を行う表示装置を提供することにもある。
【課題を解決するための手段】
【００１１】
上述した本発明の目的を実現するため、本発明の一実施例に係る表示パネルの駆動方法は、入力画像データの階調に対応してハイガンマを有するハイデータ電圧を生成する段階、前記入力画像データの前記階調に対応して前記ハイガンマより小さいローガンマを有するローデータ電圧を生成する段階および表示パネルのピクセルに前記ハイデータ電圧および前記ローデータ電圧を出力する段階を含む。少なくとも一つのフレームの間に前記表示パネルの前記ピクセルに前記ローデータ電圧のみを出力する。
【００１２】
本発明の一実施例において、第１フレームの間に前記表示パネルの第１データピクセルグループに前記ハイデータ電圧を出力し、前記表示パネルの第２データピクセルグループに前記ローデータ電圧を出力することができる。第２フレームの間に前記表示パネルの前記第１データピクセルグループおよび前記第２データピクセルグループに前記ローデータ電圧を出力することができる。第３フレームの間に前記表示パネルの前記第１データピクセルグループに前記ローデータ電圧を出力し、前記表示パネルの前記第２データピクセルグループに前記ハイデータ電圧を出力することができる。第４フレームの間に前記表示パネルの前記第１データピクセルグループおよび前記第２データピクセルグループに前記ローデータ電圧を出力することができる。
【００１３】
本発明の一実施例において、前記表示パネルの前記ピクセルに４つのフレームの中の一つのフレームの間に前記ハイデータ電圧を出力し、３つのフレームの間に前記ローデータ電圧を出力することができる。
【００１４】
本発明の一実施例において、前記表示パネルは第１ピクセル、前記第１ピクセルと第１方向で隣接した第２ピクセル、前記第１ピクセルと第２方向で隣接した第３ピクセル、前記第２ピクセルと前記第２方向で隣接した第４ピクセル、前記第１ピクセルに接続される第１データライン、前記第２ピクセルおよび前記第３ピクセルに接続される第２データラインおよび前記第４ピクセルに接続される第３データラインを含むことができる。
【００１５】
本発明の一実施例において、前記第２ピクセルに印加されるデータ電圧は前記第１ピクセルに印加されるデータ電圧と反対の極性を有することができる。前記第３ピクセルに印加されるデータ電圧は前記第１ピクセルに印加される前記データ電圧と反対の極性を有することができる。前記第４ピクセルに印加されるデータ電圧は前記第１ピクセルに印加される前記データ電圧と同じ極性を有することができる。
【００１６】
本発明の一実施例において、前記第１ピクセルには第１、第２、第４、第６、第７および第８フレームの間に前記ローデータ電圧が印加され、第３および第５フレームの間に前記ハイデータ電圧が印加されることができる。
【００１７】
本発明の一実施例において、前記第２ピクセルには前記第２、第３、第４、第５、第６および第８フレームの間に前記ローデータ電圧が印加され、第１および第７フレームの間に前記ハイデータ電圧が印加されることができる。
【００１８】
本発明の一実施例において、前記第１および第２ピクセルの前記データ電圧は２フレーム単位で極性が反転することができる。
【００１９】
本発明の一実施例において、前記表示パネルは第１ピクセル、前記第１ピクセルと第１方向で隣接した第２ピクセル、前記第１ピクセルと第２方向で隣接した第３ピクセル、前記第２ピクセルと前記第２方向で隣接した第４ピクセル、前記第１ピクセルおよび前記第３ピクセルに接続される第１データラインおよび前記第２ピクセルおよび前記第４ピクセルに接続される第２データラインを含むことができる。
【００２０】
本発明の一実施例において、前記第２ピクセルに印加されるデータ電圧は前記第１ピクセルに印加されるデータ電圧と反対の極性を有することができる。前記第３ピクセルに印加されるデータ電圧は前記第１ピクセルに印加される前記データ電圧と同じ極性を有することができる。前記第４ピクセルに印加されるデータ電圧は前記第１ピクセルに印加される前記データ電圧と反対の極性を有することができる。
【００２１】
本発明の一実施例において、前記第１ピクセルには第２、第３、第４、第６、第７および第８フレームの間に前記ローデータ電圧が印加され、第１および第５フレームの間に前記ハイデータ電圧が印加されることができる。
【００２２】
本発明の一実施例において、前記第２ピクセルには前記第１、第２、第４、第５、第６および第８フレームの間に前記ローデータ電圧が印加され、第３および第７フレームの間に前記ハイデータ電圧が印加されることができる。
本発明の一実施例において、前記第１および第２ピクセルの前記データ電圧は４フレーム単位で極性が反転することができる。
【００２３】
上述した本発明の他の目的を実現するため、本発明の一実施例に係る表示装置は、データ駆動部および表示パネルを含む。前記データ駆動部は入力画像データの階調に対応し、ハイガンマを有するハイデータ電圧および前記ハイガンマより小さいローガンマを有するローデータ電圧を生成する。前記表示パネルは前記ハイデータ電圧および前記ローデータ電圧が印加されるピクセルを含む。少なくとも一つのフレームの間に前記ピクセルに前記ローデータ電圧のみが印加される。
【００２４】
本発明の一実施例において、第１フレームの間に前記表示パネルの第１データピクセルグループに前記ハイデータ電圧が印加され、前記表示パネルの第２データピクセルグループに前記ローデータ電圧が印加されることができる。第２フレームの間に前記表示パネルの前記第１データピクセルグループおよび前記第２データピクセルグループに前記ローデータ電圧が印加されることができる。第３フレームの間に前記表示パネルの前記第１データピクセルグループに前記ローデータ電圧が印加され、前記表示パネルの前記第２データピクセルグループに前記ハイデータ電圧が印加されることができる。第４フレームの間に前記表示パネルの前記第１データピクセルグループおよび前記第２データピクセルグループに前記ローデータ電圧が印加されることができる。
【００２５】
本発明の一実施例において、前記表示パネルの前記ピクセルに４つのフレームの中の一つのフレームの間に前記ハイデータ電圧が印加され、３つのフレームの間に前記ローデータ電圧が印加されることができる。
【００２６】
本発明の一実施例において、前記表示パネルは第１ピクセル、前記第１ピクセルと第１方向で隣接した第２ピクセル、前記第１ピクセルと第２方向で隣接した第３ピクセル、前記第２ピクセルと前記第２方向で隣接した第４ピクセル、前記第１ピクセルに接続される第１データライン、前記第２ピクセルおよび前記第３ピクセルに接続される第２データラインおよび前記第４ピクセルに接続される第３データラインを含むことができる。前記第１ピクセルには第１、第２、第４、第６、第７および第８フレームの間に前記ローデータ電圧が印加され、第３および第５フレームの間に前記ハイデータ電圧が印加されることができる。前記第２ピクセルには前記第２、第３、第４、第５、第６および第８フレームの間に前記ローデータ電圧が印加され、第１および第７フレームの間に前記ハイデータ電圧が印加されることができる。
【００２７】
本発明の一実施例において、前記第１および第２ピクセルの前記データ電圧は２フレーム単位で極性が反転することができる。
【００２８】
本発明の一実施例において、前記表示パネルは第１ピクセル、前記第１ピクセルと第１方向で隣接した第２ピクセル、前記第１ピクセルと第２方向で隣接した第３ピクセル、前記第２ピクセルと前記第２方向で隣接した第４ピクセル、前記第１ピクセルおよび前記第３ピクセルに接続される第１データラインおよび前記第２ピクセルおよび前記第４ピクセルに接続される第２データラインを含むことができる。前記第１ピクセルには第２、第３、第４、第６、第７および第８フレームの間に前記ローデータ電圧が印加され、第１および第５フレームの間に前記ハイデータ電圧が印加されることができる。前記第２ピクセルには前記第１、第２、第４、第５、第６および第８フレームの間に前記ローデータ電圧が印加され、第３および第７フレームの間に前記ハイデータ電圧が印加されることができる。
【００２９】
本発明の一実施例において、前記第１および第２ピクセルの前記データ電圧は４フレーム単位で極性が反転することができる。
【発明の効果】
【００３０】
このような表示パネルの駆動方法およびそれを行う表示装置によれば、ローガンマフレームを十分に確保し、側面視認性を改善できて、ハイガンマフレームおよびローガンマフレームを適切に配置してムービングチェッカーアーティファクトを改善することができる。
【図面の簡単な説明】
【００３１】
【図１】本発明の一実施例に係る表示装置を示すブロック図である。
【図２】図１の表示パネルのピクセル配列を示す平面図である。
【図３】図１のガンマ基準電圧生成部のガンマ曲線を示すグラフである。
【図４】図１の表示パネルのピクセルグループを示す平面図である。
【図５】図４のピクセルグループに印加される出力画像データのシーケンスを示す概念図である。
【図６】図４のピクセルグループに印加される出力画像データのシーケンスを示す概念図である。
【図７】図１の表示パネルのピクセルの液晶に充電されるピクセル電圧を示すタイミング図である。
【図８】画像内で物体が一方向に移動する時、観察者に視認される図１の表示パネルのピクセルの輝度を示す概念図である。
【図９】画像内で物体が一方向に移動する時、観察者に視認される図１の表示パネルのピクセルの輝度を示す概念図である。
【図１０】本発明の他の実施例に係る表示装置の表示パネルのピクセル配列を示す平面図である。
【図１１】図１０の表示パネルのピクセルグループを示す平面図である。
【図１２】図１１のピクセルグループに印加される出力画像データのシーケンスを示す概念図である。
【図１３】図１１のピクセルグループに印加される出力画像データのシーケンスを示す概念図である。
【図１４】画像内で物体が一方向に移動する時、観察者に視認される図１０の表示パネルのピクセルの輝度を示す概念図である。
【図１５】画像内で物体が一方向に移動する時、観察者に視認される図１０の表示パネルのピクセルの輝度を示す概念図である。
【発明を実施するための形態】
【００３２】
以下、添付した図面を参照して、本発明をより詳細に説明する。
【００３３】
図１は本発明の一実施例に係る表示装置を示すブロック図である。
【００３４】
図１を参照すれば、前記表示装置は表示パネル１００およびパネル駆動部を含む。前記パネル駆動部はタイミングコントローラ２００、ゲート駆動部３００、ガンマ基準電圧生成部４００およびデータ駆動部５００を含む。
【００３５】
前記表示パネル１００は画像を表示する表示部および前記表示部に隣り合わせて配置される周辺部を含む。
【００３６】
前記表示パネル１００は、複数のゲートラインＧＬ、複数のデータラインＤＬおよび前記ゲートラインＧＬと前記データラインＤＬそれぞれに電気的に連絡された複数のピクセルを含む。前記ゲートラインＧＬは第１方向Ｄ１に延びて、前記データラインＤＬは前記第１方向Ｄ１と交差する第２方向Ｄ２に延びる。
各ピクセルはスイッチング素子、前記スイッチング素子に電気的に連絡された液晶キャパシターおよびストレージキャパシター（いずれも図示せず）を含むことができる。前記ピクセルはマトリックス状に配置されることができる。
【００３７】
前記タイミングコントローラ２００は、外部の装置（図示せず）から入力画像データＲＧＢおよび入力制御信号ＣＯＮＴを受信する。前記入力画像データは赤色画像データＲ、緑色画像データＧおよび青色画像データＢを含むことができる。前記入力制御信号ＣＯＮＴはマスタークロック信号、データイネーブル信号を含むことができる。前記入力制御信号ＣＯＮＴは垂直同期信号および水平同期信号をさらに含むことができる。
【００３８】
前記タイミングコントローラ２００は、前記入力画像データＲＧＢおよび前記入力制御信号ＣＯＮＴに基づいて、第１制御信号ＣＯＮＴ１、第２制御信号ＣＯＮＴ２、第３制御信号ＣＯＮＴ３およびデータ信号ＤＡＴＡを生成する。
【００３９】
前記タイミングコントローラ２００は前記入力制御信号ＣＯＮＴに基づいて、前記ゲート駆動部３００の動作を制御するための前記第１制御信号ＣＯＮＴ１を生成し、前記ゲート駆動部３００に出力する。前記第１制御信号ＣＯＮＴ１は、垂直開始信号およびゲートクロック信号を含むことができる。
【００４０】
前記タイミングコントローラ２００は、前記入力制御信号ＣＯＮＴに基づいて、前記データ駆動部５００の動作を制御するための前記第２制御信号ＣＯＮＴ２を生成し、前記データ駆動部５００に出力する。前記第２制御信号ＣＯＮＴ２は水平開始信号およびロード信号を含むことができる。
【００４１】
前記タイミングコントローラ２００は、前記入力画像データＲＧＢに基づいてデータ信号ＤＡＴＡを生成する。前記タイミングコントローラ２００は、前記データ信号ＤＡＴＡを前記データ駆動部５００に出力する。
【００４２】
前記タイミングコントローラ２００は、前記入力画像データＲＧＢに基づいて、ガンマを有するハイデータ信号を生成することができる。前記タイミングコントローラ２００は、前記入力画像データＲＧＢに基づいて、ローガンマを有するローデータ信号を生成することができる。前記タイミングコントローラ２００は、前記ハイデータ信号および前記ローデータ信号を各ピクセルにより選択的に前記データ駆動部５００に出力することができる。
【００４３】
前記タイミングコントローラ２００は、前記入力制御信号ＣＯＮＴに基づいて、前記ガンマ基準電圧生成部４００の動作を制御するための前記第３制御信号ＣＯＮＴ３を生成し、前記ガンマ基準電圧生成部４００に出力する。
【００４４】
前記ゲート駆動部３００は、前記タイミングコントローラ２００から入力を受けた前記第１制御信号ＣＯＮＴ１に応答して、前記ゲートラインＧＬを駆動するためのゲート信号を生成する。前記ゲート駆動部３００は、前記ゲート信号を前記ゲートラインＧＬに順次出力する。
【００４５】
前記ゲート駆動部３００は、前記表示パネル１００に直接実装（ｍｏｕｎｔｅｄ）されるか、またはテープキャリアパッケージ（ｔａｐｅ  ｃａｒｒｉｅｒ  ｐａｃｋａｇｅ：ＴＣＰ）形態で前記表示パネル１００に接続されることができる。一方、前記ゲート駆動部３００は、前記表示パネル１００の前記周辺部に集積（ｉｎｔｅｇｒａｔｅｄ）される。
【００４６】
前記ガンマ基準電圧生成部４００は、前記タイミングコントローラ２００から入力を受けた前記第３制御信号ＣＯＮＴ３に応答して、ガンマ基準電圧ＶＧＲＥＦを生成する。前記ガンマ基準電圧生成部４００は、前記ガンマ基準電圧ＶＧＲＥＦを前記データ駆動部５００に供給する。前記ガンマ基準電圧ＶＧＲＥＦは、それぞれのデータ信号ＤＡＴＡに対応する値を有する。
【００４７】
前記ガンマ基準電圧生成部４００は、ハイガンマカーブを用いてハイガンマ基準電圧を前記データ駆動部５００に供給することができる。前記ガンマ基準電圧生成部４００はローガンマカーブを用い、ローガンマ基準電圧を前記データ駆動部５００に供給することができる。
【００４８】
本発明の一実施例において、前記ガンマ基準電圧生成部４００は前記タイミングコントローラ２００内に配置されるか、または前記データ駆動部５００内に配置されることができる。
【００４９】
前記データ駆動部５００は、前記タイミングコントローラ２００から前記第２制御信号ＣＯＮＴ２および前記データ信号ＤＡＴＡの入力を受け、前記ガンマ基準電圧生成部４００から前記ガンマ基準電圧ＶＧＲＥＦの入力を受ける。
【００５０】
前記データ駆動部５００は、前記データ信号ＤＡＴＡに前記ガンマ基準電圧ＶＧＲＥＦを用い、アナログ形態のデータ電圧に変換する。前記データ駆動部５００は前記データ電圧を前記データラインＤＬに出力する。
【００５１】
前記データ駆動部５００は、前記ハイデータ信号に前記ハイガンマ基準電圧を用いて、ハイデータ電圧に変換することができる。前記データ駆動部５００は、前記ローデータ信号に前記ローガンマ基準電圧を用いて、ローデータ電圧に変換することができる。前記データ駆動部５００は、前記ハイデータ電圧および前記ローデータ電圧を、各フレームにより選択的に出力することができる。前記データ駆動部５００は、前記ハイデータ電圧および前記ローデータ電圧を、各ピクセルにより選択的に出力することができる。
【００５２】
前記データ駆動部５００は、シフトレジスタ、ラッチ、信号処理部およびバッファー部（いずれも図示せず）を含むことができる。前記シフトレジスタはラッチパルスを前記ラッチに出力する。前記ラッチは、前記データ信号ＤＡＴＡを一時保存した後に、前記信号処理部に出力する。前記信号処理部は、前記デジタル形態である前記データ信号ＤＡＴＡおよび前記ガンマ基準電圧ＶＧＲＥＦに基づき、アナログ形態の前記データ電圧を生成して前記バッファー部に出力する。前記バッファー部は、前記データ電圧のレベルが一定のレベルを有するように補償して、前記データ電圧を前記データラインＤＬに出力する。
【００５３】
前記データ駆動部５００は、前記表示パネル１００に直接実装されるか、または、テープキャリアパッケージ（ｔａｐｅ  ｃａｒｒｉｅｒ  ｐａｃｋａｇｅ：ＴＣＰ）形態で前記表示パネル１００に接続されることができる。一方、前記データ駆動部５００は、前記表示パネル１００の前記周辺部に集積される。
【００５４】
図２は、図１の表示パネル１００のピクセル配列を示す平面図である。
【００５５】
図２を参照すると、前記表示パネル１００は交互ピクセル配列（ａｌｔｅｒｎａｔｅ  ｐｉｘｅｌ  ａｒｒａｙ）を有することがわかる。前記表示パネル１００のデータラインは、隣接したピクセル列のピクセルと交代に接続される。
【００５６】
第１ピクセル行のピクセルＰ１１〜Ｐ１８は、第１ゲートラインＧＬ１に接続される。第２ピクセル行のピクセルＰ２１〜Ｐ２８は、第２ゲートラインＧＬ２に接続される。第３ピクセル行のピクセルＰ３１〜Ｐ３８は、第３ゲートラインＧＬ３に接続される。第４ピクセル行のピクセルＰ４１〜Ｐ４８は、第４ゲートラインＧＬ４に接続される。
【００５７】
第１ピクセル列のピクセルＰ１１、Ｐ２１、Ｐ３１、Ｐ４１は、第１データラインＤＬ１と第２データラインＤＬ２に交互に接続される。第２ピクセル列のピクセルＰ１２、ピクセルＰ２２、ピクセルＰ３２、ピクセルＰ４２は、前記第２データラインＤＬ２と第３データラインＤＬ３に交互に接続される。  
【００５８】
第３ピクセル列のピクセルＰ１３、Ｐ２３、Ｐ３３、Ｐ４３は、前記第３データラインＤＬ３と第４データラインＤＬ４に交互に接続される。第４ピクセル列のピクセルＰ１４、Ｐ２４、Ｐ３４、Ｐ４４は、前記第４データラインＤＬ４と第５データラインＤＬ５に交互に接続される。
【００５９】
前記第１、第３、第５、第７、第９データラインＤＬ１、ＤＬ３、ＤＬ５、ＤＬ７、ＤＬ９には正極性（ｐｏｓｉｔｉｖｅ  ｐｏｌａｒｉｔｙ）のデータ電圧が印加され、前記第２、第４、第６、第８データラインＤＬ２、ＤＬ４、ＤＬ６、ＤＬ８には逆極性（ｎｅｇａｔｉｖｅ  ｐｏｌａｒｉｔｙ）のデータ電圧が印加される。したがって、前記表示パネル１００のピクセルは、前記第１方向Ｄ１および第２方向Ｄ２についてドット単位で反転する。前記第１〜第９データラインＤＬ１〜ＤＬ９の極性は、２フレーム単位で反転させてもよい。
【００６０】
図３は図１のガンマ基準電圧生成部４００のガンマ曲線を示すグラフである。
【００６１】
図１乃至図３を参照すると、ガンマ曲線ＧＣは一つのピクセルに対してハイフレームとローフレームを平均した階調別輝度を示している。ハイピクセルガンマ曲線ＧＣＨはハイフレームに対する階調別輝度を示す。ローピクセルガンマ曲線ＧＣＬはローフレームに対する階調別輝度を示す。
【００６２】
例えば、階調Ｇに対応して表示パネルに表示しなければならない輝度は、前記ガンマ曲線ＧＣを用いれば、輝度ＬＵである。階調Ｇに対応する輝度ＬＵをピクセルに表示するために、前記ハイフレームには輝度ＬＨを前記ピクセルに表示し、前記ローフレームには輝度ＬＬを前記ピクセルに表示する。
前記ハイフレームの輝度ＬＨを表示するための前記ハイフレームの階調は、前記ガンマ曲線ＧＣを用いれば、ＧＨである。前記ローフレームの輝度ＬＬを表示するための前記ローフレームの階調は、前記ガンマ曲線ＧＣを用いれば、ＧＬである。
【００６３】
前記ガンマ基準電圧生成部４００は、ハイフレームの階調ＧＨおよび前記ローフレームの階調ＧＬを用い、前記ハイガンマ基準電圧および前記ローガンマ基準電圧を生成することができる。
【００６４】
前記データ駆動部５００は、前記ハイガンマ基準電圧および前記ローガンマ基準電圧を用いて、前記ハイデータ電圧および前記ローデータ電圧を生成する。前記データ駆動部５００は、前記ハイデータ電圧および前記ローデータ電圧を前記表示パネル１００に出力する。
【００６５】
前記データ駆動部５００は、少なくとも１フレーム間、前記表示パネル１００の前記ピクセルにローデータ電圧のみを出力することができる。
【００６６】
前記ハイデータ電圧のおよび前記ローデータ電圧のフロントガンマ（ｆｒｏｎｔ  ｇａｍｍａ）の平均は、前記入力画像データのフロントガンマと実質的に一致させることができる。
【００６７】
図４は、図１の表示パネル１００のピクセルグループを示す平面図である。図５および図６は、図４のピクセルグループに印加される出力画像データのシーケンスを示す概念図である。図７は、図１の表示パネル１００のピクセルの液晶に充電されるピクセル電圧ＶＬＣを示すタイミング図である。
【００６８】
図４を参照すれば、前記表示パネル１００は２×２の４つのピクセルを有するピクセルグループを含む。
【００６９】
本実施例において、前記ピクセルグループは、１行１列の第１ピクセルＰＡ、前記第１ピクセルＰＡと前記第１方向Ｄ１（図２参照）で隣接した１行２列の第２ピクセルＰＢ、前記第１ピクセルＰＡと前記第２方向Ｄ２（図２参照）で隣接した２行１列の第３ピクセルＰＢおよび前記第２ピクセルＰＢと前記第２方向Ｄ２で隣接した２行２列の第４ピクセルＰＡを含む。
【００７０】
本実施例において、前記第１ピクセルおよび前記第４ピクセルには同じパターンのデータ電圧が印加されるので、同じ参照番号であるＰＡで表示する。本実施例において、前記第２ピクセルおよび前記第３ピクセルには同じパターンのデータ電圧が印加されるので、同じ参照番号であるＰＢで表示する。
【００７１】
前記第１ピクセルにハイデータ電圧が印加されれば前記第４ピクセルにもハイデータ電圧が印加され、前記第１ピクセルにローデータ電圧が印加されれば前記第４ピクセルにもローデータ電圧が印加される。前記第１ピクセルおよび前記第４ピクセルは、一つのデータピクセルグループを形成する。
【００７２】
図示しないが、前記表示パネル１００のすべてのピクセルのうち、前記第１ピクセルに前記ハイデータ電圧が印加される時、ハイデータ電圧が印加されるピクセルは前記第１ピクセルと同じデータピクセルグループに含まれる。
【００７３】
前記第２ピクセルにハイデータ電圧が印加されれば前記第３ピクセルにもハイデータ電圧が印加され、前記第２ピクセルにローデータ電圧が印加されれば前記第３ピクセルにもローデータ電圧が印加される。前記第２ピクセルおよび前記第３ピクセルは一つのデータピクセルグループを形成する。
【００７４】
図示しないが、前記表示パネル１００のすべてのピクセルのうち、前記第２ピクセルに前記ハイデータ電圧が印加される時、ハイデータ電圧が印加されるピクセルは前記第２ピクセルと同じデータピクセルグループに含まれることができる。
図２で説明した通り、本実施例の前記表示パネル１００は交互ピクセル配列を有する。例えば、第１データラインは前記ピクセルグループ内の前記第１ピクセルＰＡに接続される。第２データラインは前記ピクセルグループ内の前記第２ピクセルＰＢおよび前記第３ピクセルＰＢに接続される。第３データラインは前記ピクセルグループ内の前記第４ピクセルＰＡに接続される。
【００７５】
図５を参照すると、前記第１〜第４ピクセルＰＡ、ＰＢには、４つのフレームを１つの単位として、１フレームにハイデータ電圧Ｈが印加され、３フレームにローデータ電圧Ｌが印加されることがわかる。
【００７６】
液晶のライジング応答が比較的速いと、その反面、液晶のフォーリング応答は遅くなる。したがって、ハイデータ電圧Ｈが印加されるハイフレームとローデータ電圧Ｌが印加されるローフレームの個数が同じ場合、実質的にローデータ電圧が視認される時間が充分に確保されることができないという問題がある。この結果、側面視認性が減少することになる。
【００７７】
図７において、実質的にハイデータ電圧が観察者に視認される時間をＨＳで図示し、実質的にローデータ電圧が観察者に視認される時間をＬＳで図示した。本発明では、ハイフレームの個数とローフレームの個数の比率が１:３であるので、液晶のフォーリング応答が遅い点を勘案しても、実質的にローデータ電圧が観察者に視認される時間を十分に確保することができる。
【００７８】
また、前記第１〜第４ピクセルＰＡ、ＰＢに印加される前記ハイデータ電圧Ｈおよび前記ローデータ電圧Ｌは、８つのフレーム単位で繰り返される。
【００７９】
例えば、前記第１および第４ピクセルＰＡには、第１、第２、第４、第６、第７、第８フレームに前記ローデータ電圧Ｌが印加され、第３および第５フレームに前記ハイデータ電圧Ｈが印加される。前記第１および第４ピクセルＰＡには、前記第１〜第８フレームの間にＬ、Ｌ、Ｈ、Ｌ、Ｈ、Ｌ、Ｌ、Ｌのパターンのデータ電圧が順次印加される。
【００８０】
前記第２および第３ピクセルＰＢには、第２、第３、第４、第５、第６、第８フレームに前記ローデータ電圧Ｌが印加され、第１および第７フレームに前記ハイデータ電圧Ｈが印加される。前記第２および第３ピクセルＰＢには、前記第１〜第８フレームの間にＨ、Ｌ、Ｌ、Ｌ、Ｌ、Ｌ、Ｈ、Ｌのパターンのデータ電圧が順次印加される。
【００８１】
前記表示パネル１００の前記ピクセルには、少なくとも一つのフレームの間にローデータ電圧Ｌのみが印加されることができる。図６において、前記第１フレームから前記第３フレームの間に、前記表示パネル１００の前記ピクセルには、ハイデータ電圧Ｈとローデータ電圧Ｌが選択的に印加される。その反面、前記第２フレームから前記第４フレームの間に、前記表示パネル１００の前記ピクセルにはローデータ電圧Ｌのみが印加される。
【００８２】
本実施例において、前記第２および第３ピクセルＰＢが第１データピクセルグループをなし、前記第１および第４ピクセルＰＡが第２データピクセルグループを成す時、第１フレームで、前記表示パネル１００の第１データピクセルグループに前記ハイデータ電圧Ｈが印加され、前記表示パネル１００の第２データピクセルグループに前記ローデータ電圧Ｌが印加される。
第２フレームでは、前記表示パネル１００の前記第１データピクセルグループおよび前記第２データピクセルグループに、前記ローデータ電圧Ｌが印加される。
【００８３】
第３フレームでは、前記表示パネル１００の前記第１データピクセルグループに前記ローデータ電圧Ｌが印加され、前記表示パネル１００の前記第２データピクセルグループに前記ハイデータ電圧Ｈが印加される。
【００８４】
第４フレームでは、前記表示パネル１００の前記第１データピクセルグループおよび前記第２データピクセルグループに前記ローデータ電圧Ｌが印加される。
【００８５】
前記第１〜第４ピクセルの前記データ電圧は、２フレーム単位で極性を反転することができる。
【００８６】
図６を参照すると、前記第１および第４ピクセルＰＡには前記第１〜第８フレームの間にＬ−、Ｌ−、Ｈ＋、Ｌ＋、Ｈ−、Ｌ−、Ｌ＋、Ｌ＋のパターンのデータ電圧が順次印加される。前記８フレームの間にＬ−データ電圧は３つ、Ｌ＋データ電圧は３つ、Ｈ−データ電圧は１つ、Ｈ＋データ電圧は１つである。
【００８７】
前記第１および第４ピクセルＰＡにおいて、前記第１〜第８フレームの間は、ハイフレームＨの個数およびローフレームＬの個数は１:３で維持される。したがって、前記ローフレームＬの区間が十分に確保され、側面視認性を改善することができる。
【００８８】
また、前記第１および第４ピクセルＰＡにおいて、前記第１〜第８フレームの間は、陽極性ハイフレームＨ＋と陰極性ハイフレームＨ−の個数が同じであり、前記陽極性ローフレームＬ＋と陰極性ローフレームＬ−の個数が同じである。したがって、前記表示装置の表示品質が安定的に維持される。
【００８９】
前記第２および第３ピクセルＰＢには前記第１〜第８フレームの間にＨ＋、Ｌ＋、Ｌ−、Ｌ−、Ｌ＋、Ｌ＋、Ｈ−、Ｌ−のパターンのデータ電圧が順次印加される。前記８フレームの間にＬ−データ電圧は３つ、Ｌ＋データ電圧は３つ、Ｈ−データ電圧は１つ、Ｈ＋データ電圧は１つである。
【００９０】
前記第２および第３ピクセルＰＢにおいて、前記第１〜第８フレームの間は、ハイフレームＨの個数およびローフレームＬの個数は１:３で維持される。したがって、前記ローフレームＬの区間が十分に確保されて側面視認性を改善することができる。
【００９１】
また、前記第２および第３ピクセルＰＢにおいて、前記第１〜第８フレームの間は、前記陽極性ハイフレームＨ＋と陰極性ハイフレームＨ−の個数が同じであり、前記陽極性ローフレームＬ＋と陰極性ローフレームＬ−の個数が同じである。したがって、前記表示装置の表示品質が安定的に維持される。
【００９２】
図８および図９は、画像内で物体が一方向に移動する場合に、観察者に視認される図１の表示パネル１００のピクセルの輝度を示す概念図である。
【００９３】
図８および図９では、画像内で物体が０.５ｐｉｘｅｌ／ｆｒａｍｅに移動することを仮定し、観察者の視点は人間の視認特性によって前記物体について移動することと仮定した。
【００９４】
図８および図９において、明るく表示されたボックスはピクセルにハイデータ電圧Ｈが表示されることを意味し、ハッチングで表示されたボックスはローデータ電圧Ｌが表示されることを意味する。
【００９５】
図８において、第１行は第１フレームの間に第１ピクセル行のピクセルを示し、第２行は第２フレームの間に前記第１ピクセル行のピクセルを示し、第３行は第３フレームの間に前記第１ピクセル行のピクセルを示し、第４行は第４フレームの間に前記第１ピクセル行のピクセルを示す。
【００９６】
画像内において、前記物体が移動することに伴い、前記観察者の視点は前記物体の速度（０.５ ｐｉｘｅｌ／ｆｒａｍｅ）と同一に移動することになる。前記画像内で前記物体が移動する時、前記観察者の視点により画像の輝度差が大きい場合、ムービングチェッカーアーティファクトが発生することになる。
【００９７】
図９を見れば、前記観察者の視点が第１視点ＶＰ１にある際、第１〜第８フレームの間にハイデータ電圧が２回、ローデータ電圧が６回視認される。また、前記観察者の視点が第２視点ＶＰ２にある際、第１〜第８フレームの間にハイデータ電圧が２回、ローデータ電圧が６回視認される。
【００９８】
前記観察者の視点が第１視点ＶＰ１にある場合に前記第１〜第８フレームの間に視認される画像の輝度の平均は、前記観察者の視点が第２視点ＶＰ２にある場合に前記第１〜第８フレームの間に視認される画像の輝度の平均と、ほとんど同一である。したがって、本実施例ではムービングチェッカーアーティファクトがほとんど発生しない。結果的に表示装置の表示品質が向上する。
【００９９】
以上のように、本実施例では、交互ピクセル配列を有し、２フレーム反転駆動をする表示パネルにおいて、ピクセルグループ内のピクセルのハイデータ電圧およびローデータ電圧の順序を適切に配置して側面視認性を向上させて、ムービングチェッカーアーティファクトを減少させることができる。
【０１００】
図１０は、本発明の他の実施例に係る表示装置の表示パネル１００Ａのピクセル配列を示す平面図である。
【０１０１】
本発明の他の実施例に係る表示装置は、表示パネルが交互しないピクセル配列（ｎｏｎ−ａｌｔｅｒｎａｔｅ  ｐｉｘｅｌ  ａｒｒａｙ）を有し、４フレーム反転駆動をすることを除けば、図１〜図９で示した表示装置と実質的に同一である。したがって、同一または、類似の構成要素に対しては同じ参照番号を用い、重複する説明は省略する。
【０１０２】
図１および図１０を参照すれば、前記表示装置は表示パネル１００Ａおよびパネル駆動部を含む。前記パネル駆動部はタイミングコントローラ２００、ゲート駆動部３００、ガンマ基準電圧生成部４００およびデータ駆動部５００を含む。
【０１０３】
前記表示パネル１００Ａは交互しないピクセル配列を有する。前記表示パネル１００Ａのデータラインは一つのピクセル列のピクセルと順次接続される。
【０１０４】
第１ピクセル行のピクセルＰ１１〜Ｐ１８は第１ゲートラインＧＬ１に接続される。第２ピクセル行のピクセルＰ２１〜Ｐ２８は第２ゲートラインＧＬ２に接続される。第３ピクセル行のピクセルＰ３１〜Ｐ３８は第３ゲートラインＧＬ３に接続される。第４ピクセル行のピクセルＰ４１〜Ｐ４８は第４ゲートラインＧＬ４に接続される。
【０１０５】
第１ピクセル列のピクセルＰ１１、Ｐ２１、Ｐ３１、Ｐ４１は、第１データラインＤＬ１に順次接続される。第２ピクセル列のピクセルＰ１２、Ｐ２２、Ｐ３２、Ｐ４２は、前記第２データラインＤＬ２に順次接続される。第３ピクセル列のピクセルＰ１３、Ｐ２３、Ｐ３３、Ｐ４３は、前記第３データラインに順次接続される。第４ピクセル列のピクセルＰ１４、Ｐ２４、Ｐ３４、Ｐ４４は、前記第４データラインＤＬ４に順次接続される。
【０１０６】
前記第１、第３、第５、第７、第９データラインＤＬ１、ＤＬ３、ＤＬ５、ＤＬ７、ＤＬ９には正極性のデータ電圧が印加され、前記第２、第４、第６、第８データラインＤＬ２、ＤＬ４、ＤＬ６、ＤＬ８には逆極性のデータ電圧が印加される。したがって、前記表示パネル１００Ａのピクセルは前記第１方向Ｄ１についてコラム単位で反転する。また、前記第１〜第９データラインＤＬ１〜ＤＬ９の極性は、４フレーム単位で反転することができる。
【０１０７】
図１１は、図１０の表示パネル１００Ａのピクセルグループを示す平面図である。図１２および図１３は、図１１のピクセルグループに印加される出力画像データのシーケンスを示す概念図である。
【０１０８】
図１、図３、図７、図１０、図１１〜図１３を参照すすると、前記表示パネル１００Ａは２×２の４つのピクセルを有するピクセルグループを含むことがわかる。
【０１０９】
本実施例において、前記ピクセルグループは、１行１列の第１ピクセルＰＡ、前記第１ピクセルＰＡと前記第１方向Ｄ１で隣接した１行２列の第２ピクセルＰＢ、前記第１ピクセルＰＡと前記第２方向Ｄ２で隣接した２行１列の第３ピクセルＰＣ）および前記第２ピクセルＰＢと前記第２方向Ｄ２で隣接した２行２列の第４ピクセルＰＤを含む。
【０１１０】
前記第１ピクセルＰＡにハイデータ電圧が印加されれば前記第４ピクセルＰＤにもハイデータ電圧が印加され、前記第１ピクセルＰＡにローデータ電圧が印加されれば前記第４ピクセルＰＤにもローデータ電圧が印加される。前記第１ピクセルＰＡおよび前記第４ピクセルＰＤは、一つのデータピクセルグループを形成する。
【０１１１】
前記第２ピクセルＰＢにハイデータ電圧が印加されれば前記第３ピクセルＰＣにもハイデータ電圧が印加され、前記第２ピクセルＰＢにローデータ電圧が印加されれば前記第３ピクセルＰＣにもローデータ電圧が印加される。前記第２ピクセルＰＢおよび前記第３ピクセルＰＣは、一つのデータピクセルグループを形成する。
【０１１２】
図１０で説明した通り、本実施例の前記表示パネル１００Ａは交互しないピクセル配列を有する。例えば、第１データラインは前記ピクセルグループ内の前記第１ピクセルＰＡおよび第３ピクセルＰＣに接続される。第２データラインは前記ピクセルグループ内の前記第２ピクセルＰＢおよび前記第４ピクセルＰＤに接続される。
【０１１３】
図１２を参照すると、前記第１〜第４ピクセルＰＡ、ＰＢ、ＰＣ、ＰＤには、４つのフレームを１つの単位として、１フレームにハイデータ電圧Ｈが印加され、３フレームにローデータ電圧Ｌが印加されることがわかる。
【０１１４】
本発明の場合、ハイフレームの個数とローフレームの個数の比率が１:３であるので、液晶のフォーリング応答が遅い点を勘案しても、実質的にローデータ電圧が観察者に視認される時間を十分に確保することができる。
【０１１５】
また、前記第１〜第４ピクセルＰＡ、ＰＢ、ＰＣ、ＰＤに印加される前記ハイデータ電圧Ｈおよび前記ローデータ電圧Ｌは、８つのフレーム単位で繰り返される。
【０１１６】
例えば、前記第１および第４ピクセルＰＡ、ＰＤには、第２、第３、第４、第６、第７、第８フレームに前記ローデータ電圧Ｌが印加され、第１および第５フレームに前記ハイデータ電圧Ｈが印加される。前記第１および第４ピクセルＰＡ、ＰＤには、前記第１〜第８フレームの間にＨ、Ｌ、Ｌ、Ｌ、Ｈ、Ｌ、Ｌ、Ｌのパターンのデータ電圧が順次印加される。
【０１１７】
前記第２および第３ピクセルＰＢ、ＰＣには、第１、第２、第４、第５、第６、第８フレームに前記ローデータ電圧Ｌが印加され、第３および第７フレームに前記ハイデータ電圧Ｈが印加される。前記第２および第３ピクセルＰＢには、前記第１〜第８フレームの間にＬ、Ｌ、Ｈ、Ｌ、Ｌ、Ｌ、Ｈ、Ｌのパターンのデータ電圧が順次印加される。
【０１１８】
前記表示パネル１００Ａの前記ピクセルには、少なくとも１フレーム間、ローデータ電圧Ｌのみが印加される。図１３において、前記第１フレームから前記第３フレームの間に、前記表示パネル１００Ａの前記ピクセルにはハイデータ電圧Ｈとローデータ電圧Ｌが選択的に印加される。その反面、前記第２フレームから前記第４フレームの間に、前記表示パネル１００Ａの前記ピクセルにはローデータ電圧Ｌのみが印加される。
【０１１９】
本実施例において、前記第１および第４ピクセルＰＡ、ＰＤが第１データピクセルグループをなし、前記第２および第３ピクセルＰＢ、ＰＣが第２データピクセルグループを成す場合、第１フレームで、前記表示パネル１００Ａの第１データピクセルグループに前記ハイデータ電圧Ｈが印加され、前記表示パネル１００Ａの第２データピクセルグループに前記ローデータ電圧Ｌが印加される。
【０１２０】
第２フレームでは、前記表示パネル１００Ａの前記第１データピクセルグループおよび前記第２データピクセルグループに前記ローデータ電圧Ｌが印加される。
【０１２１】
第３フレームでは、前記表示パネル１００Ａの前記第１データピクセルグループに前記ローデータ電圧Ｌが印加され、前記表示パネル１００Ａの前記第２データピクセルグループに前記ハイデータ電圧Ｈが印加される。
【０１２２】
第４フレームでは、前記表示パネル１００Ａの前記第１データピクセルグループおよび前記第２データピクセルグループに前記ローデータ電圧Ｌが印加される。
【０１２３】
前記第１〜第４ピクセルの前記データ電圧は、４フレーム単位で極性を反転することができる。
【０１２４】
図１３を参照すると、前記第１ピクセルＰＡには前記第１〜第８フレームの間にＨ＋、Ｌ＋、Ｌ＋、Ｌ＋、Ｈ−、Ｌ−、Ｌ−、Ｌ−のパターンのデータ電圧が順次印加される。前記８フレームの間にＬ−データ電圧は３つ、Ｌ＋データ電圧は３つ、Ｈ−データ電圧は１つ、Ｈ＋データ電圧は１つである。
【０１２５】
前記第２ピクセルＰＢには前記第１〜第８フレームの間にＬ−、Ｌ−、Ｈ−、Ｌ−、Ｌ＋、Ｌ＋、Ｈ＋、Ｌ＋のパターンのデータ電圧が順次印加される。            
【０１２６】
前記８フレームの間にＬ−データ電圧は３つ、Ｌ＋データ電圧は３つ、Ｈ−データ電圧は１つ、Ｈ＋データ電圧は１つである。
【０１２７】
前記第３ピクセルＰＣには前記第１〜第８フレームの間にＬ＋、Ｌ＋、Ｈ＋、Ｌ＋、Ｌ−、Ｌ−、Ｈ−、Ｌ−のパターンのデータ電圧が順次印加される。前記８フレームの間にＬ−データ電圧は３つ、Ｌ＋データ電圧は３つ、Ｈ−データ電圧は１つ、Ｈ＋データ電圧は１つである。
【０１２８】
前記第４ピクセルＰＤには前記第１〜第８フレームの間にＨ−、Ｌ−、Ｌ−、Ｌ−、Ｈ＋、Ｌ＋、Ｌ＋、Ｌ＋のパターンのデータ電圧が順次印加される。前記８フレームの間にＬ−データ電圧は３つ、Ｌ＋データ電圧は３つ、Ｈ−データ電圧は１つ、Ｈ＋データ電圧は１つである。
【０１２９】
前記第１〜第４ピクセルＰＡ、ＰＢ、ＰＣ、ＰＤにおいて、前記第１〜第８フレームの間のハイフレームＨの個数およびローフレームＬの個数は、それぞれ１:３で維持される。したがって、前記ローフレームＬの区間が十分に確保され、側面視認性を改善することができる。
【０１３０】
また、前記第１〜第４ピクセルＰＡ、ＰＢ、ＰＣ、ＰＤにおいて、前記第１〜第８フレームの間の前記陽極性ハイフレームＨ＋と陰極性ハイフレームＨ−の個数がそれぞれ同じであり、前記陽極性ローフレームＬ＋と陰極性ローフレームＬ−の個数がそれぞれ同じである。したがって、前記表示装置の表示品質が安定的に維持される。
【０１３１】
図１４および図１５は、画像内で物体が一方向に移動する時、観察者に視認される図１０の表示パネル１００Ａのピクセルの輝度を示す概念図である。
【０１３２】
図１４および図１５では、画像内で物体が０.５ ｐｉｘｅｌ／ｆｒａｍｅに移動することを仮定し、観察者の視点は人間の視認特性により、前記物体について移動することと仮定した。
【０１３３】
図１４および図１５において、明るく表示されたボックスはピクセルにハイデータ電圧Ｈが表示されることを意味し、ハッチングで表示されたボックスはローデータ電圧Ｌが表示されることを意味する。
【０１３４】
図１５を参照すると、前記観察者の視点が第１視点ＶＰ１にある際、第１〜第８フレームの間にハイデータ電圧が４回、ローデータ電圧が４回視認されることがわかる。また、前記観察者の視点が第２視点ＶＰ２にある際、第１〜第８フレームの間にハイデータ電圧が０回、ローデータ電圧が８回視認されることがわかる。
【０１３５】
前記観察者の視点が第１視点ＶＰ１にある場合、前記第１〜第８フレームの間に視認される画像の輝度の平均は、前記観察者の視点が第２視点ＶＰ２にある場合の前記第１〜第８フレームの間に視認される画像の輝度の平均より大きい。しかし、前記観察者の視点が第１視点ＶＰ１にある際、前記第１〜第８フレームの間に視認される画像の輝度の平均と前記観察者の視点が第２視点ＶＰ２にある際、前記第１〜第８フレームの間に視認される画像の輝度の平均の差異は従来技術に比べて相対的に小さく、本実施例ではムービングチェッカーアーティファクトがほとんど発生しない。結果的に表示装置の表示品質が向上する。
【０１３６】
以上のように、本実施例では交互しないピクセル配列を有し、４フレーム反転駆動をする表示パネルにおいて、ピクセルグループ内のピクセルのハイデータ電圧およびローデータ電圧の順序を適切に配置して側面視認性を向上させて、ムービングチェッカーアーティファクトを減少させることができる。
【産業上の利用可能性】
【０１３７】
以上、説明した本発明に係る表示パネルおよびそれを含む表示装置によれば、側面視認性を改善して、ムービングチェッカーアーティファクトを減少させて表示装置の表示品質を向上させることができる。
以上、実施例を参照して説明したが、該当技術分野の熟練した当業者は下記の特許請求の範囲に記載された本発明の思想および領域から抜け出さない範囲内で、本発明を多様に修正および変更させる可能性があることを理解できるはずである。
【符号の説明】
【０１３８】
１００:  表示パネル
２００:  タイミングコントローラ
３００:  ゲート駆動部
４００:  ガンマ基準電圧生成部
５００:  データ駆動部
【図１】
2015055871.tif 000003
【図２】
2015055871.tif 000004
【図３】
2015055871.tif 000005
【図４】
2015055871.tif 000006
【図５】
2015055871.tif 000007
【図６】
2015055871.tif 000008
【図７】
2015055871.tif 000009
【図８】
2015055871.tif 000010
【図９】
2015055871.tif 000011
【図１０】
2015055871.tif 000012
【図１１】
2015055871.tif 000013
【図１２】
2015055871.tif 000014
【図１３】
2015055871.tif 000015
【図１４】
2015055871.tif 000016
【図１５】
2015055871.tif 000017